(57)【特許請求の範囲】
【請求項１】
映像信号を切り替えて伝送する高周波スイッチであって、
共通接片と一対の切替接片に接続される回路パターンが所定のパターン間隔とパターン幅を保持して実質的にインピーダンス整合がとられたプリント回路基板と、
該共通接片に対して一対の該切替接片を押圧しながら操作子の移動に連動していずれかに切り替える可動接片と
を有することを特徴とする高周波スイッチ。
【請求項２】
前記パターン幅は、前記プリント回路基板の厚み及び材質に対応してインピーダンスマッチングができるようにした
請求項１に記載の高周波スイッチ。
【請求項３】
前記操作子は、非押圧のときにバネ材で押圧されて前記可動接片が前記共通接片と所定の前記切替接片に接続されるようにした
請求項１に記載の高周波スイッチ。
【請求項４】
前記パターン間隔は、実質的なアイソレーションが確保できる程度に離間したギャップとした
請求項１に記載の高周波スイッチ。
【請求項５】
前記可動接片は、バネ材で形成された
請求項１に記載の高周波スイッチ。
【請求項６】
請求項１に記載した高周波スイッチと、一対のビデオジャックを挿入する入力孔と、内部切替に対応して外部に接続する出力孔と、前記入力孔に前記ビデオジャックを挿入することにより前記高周波スイッチの操作子を押圧する回動部材と
を有することを特徴とする映像信号切替器。
【請求項７】
前記回動部材は、板バネで形成され、前記ビデオジャックの挿入により該回転部材の中央部近傍に設けられた支点を中心として前記操作子を回動押圧する
請求項６に記載の映像信号切替器。
【発明の詳細な説明】
【０００１】
【発明の属する技術分野】
本発明は、映像信号(以下、画像信号に加えて音声信号を含む)を切り替える高周波スイッチとこの高周波スイッチを内蔵する映像信号切替器に係り、特に伝送路インピーダンスの整合をとることにより高周波信号に対応することができるように改良した高周波スイッチ及びこれを内蔵する映像信号切替器に関する。
【０００２】
【従来の技術】
映像信号の周波数帯域は、従来のアナログ方式では、数百メガヘルツであったが、デジタル化に伴い２ＧＨｚ以上の帯域を持った高周波特性が要求されるようになってきている。
【０００３】
この場合に使用されるスイッチを内蔵する映像信号切替器は、開路部での映像高周波信号の漏れの程度を示すアイソレーションを少なくし、開路部の入力端から出力端までの映像高周波信号の減衰量を示すインサーションロスを少なくし、更に伝送路上に発生する映像高周波信号の反射量を示すリターンロスも少なくする必要がある。
【０００４】
この種の従来の映像信号切替器を略示的に示した構成を図９〜図１４に示し、以下これについて説明する。
【０００５】
映像信号切替器１０のケース１１は、図９に示すように、矩形状をなしており、前面１２には矢印Ｆ方向から映像信号を導入するためのビデオジャックが挿入される円筒状の一対の入力孔１３、１４がケース１１と一体に形成されている。
【０００６】
また、映像信号切替器１０のケース１１の後面１５には、ビデオジャックをまとめて複数の信号の切替と接続を行う図示しない映像信号接続盤に挿入するための円筒状の一対の出力孔１６、１７がケース１１と一体に形成されている。
【０００７】
映像信号切替器１０のケース１１の内部は、図１０に示すように、その上壁１８(下壁１９)の中央部分に所定幅を持つ台部２０(２１)が、ケース１１と一体に形成され、これ等の台部２０(２１)に内側から対向して所定の間隔を保持して上壁１８(下壁１９)に沿って延長された板状の係止部２２(２３)がケース１１の側壁２４に立設されている。
【０００８】
これ等の台部２０と係止部２２との間、台部２１と係止部２３との間には、それぞれバネ材で作られた板状の回動部材２６と２７がその中心部２８、２９で回動可能なように支持されている。
【０００９】
回動部材２６(２７)は、その中心部２８(２９)から入力孔１３(１４)側に下降(上昇)しながら延長され、端部近傍の鈎部３０(３１)で上壁１８(下壁１９)側に湾曲して折り返されて上壁１８(下壁１９)に湾曲して接するように形成されている。
【００１０】
また、回動部材２６(２７)は、その中心部２８(２９)から入力孔１３(１４)側とは反対側に上昇(下降)しながら所定距離だけ延長され、端部に向かって所定距離だけ緩やかに下降(上昇)して当接部３２(３３)を経て端部に至る形状となっている。
【００１１】
係止部２２(２３)の内側には、中心部２８(２９)より入力孔１３(１４)側に向かって矩形状の保持ブロック３４(３５)がケース１１の側壁２４に立設され、この保持ブロック３４(３５)の中央には円筒状の接触子３６(３７)が入力孔１３(１４)の内部に部分的に突出する形で立設されている。
【００１２】
保持ブロック３４と保持ブロック３５との間の中央部には、中心部２８と中心部２９とを結ぶ線に対して左右方向に一方が円弧状に湾曲された湾曲部３８が形成された矩形状の保持ブロック３９が側壁２４に立設されている。
【００１３】
この湾曲部３８には、Ｕ字状の板バネ４０の湾曲部が当接するように固定され、この板バネ４０の両翼は入力孔１３と入力部１４との中間に向かって延長されており、両翼の先端部には台形状の接触部４１、４２が互いに外向きに形成されている。
【００１４】
中心部２８と中心部２９とを結ぶ線に対して出力孔１６、１７側には、表側に一対のマイクロスイッチ４３、４４が上下に分離して形成され、プリント回路基板４５がネジ４６、４７、４８により側壁２４に所定の距離を隔てて固定されている。
【００１５】
なお、マイクロスイッチ４３、４４と同一構成のマイクロスイッチ４３´、４４´がプリント回路基板４５の裏側にも配設されて二連切替スイッチとして構成されているが、図１０の上では省略されている。
【００１６】
出力孔１６、１７の中央であって外端から内側への所定の長さ部分からプリント回路基板４５のパターン端子４９、５０との間には、棒状のプラグ用の接触子５１、５２が配設されてこれ等が接続されている。
【００１７】
また、プリント回路基板４５の右端側にはプリント回路基板４５のパターン端子５３、５４が形成されており、パターン端子５３、５４は接触子３６、３７の一端と接続されている。
【００１８】
さらに、プリント回路基板４５の右端の中央部には、保持ブロック３９が挿入できるように、コ字形の切欠部５５が形成され、プリント回路基板４５の右端上下の角部には板状の係止部２２、２３の端部が収納できるように切欠部５６、５７が形成されている。
【００１９】
また、プリント回路基板４５は、図１０に示すように、全体的にはπ型形状をしており、そのプリント回路基板４５の上下には、マイクロスイッチ４３、４４が分離して配置されているが、その上下には操作子５８、５９が突出して示されている。
【００２０】
ここで、マイクロスイッチ４３とマイクロスイッチ４４の構成は基本的には同一構成であるので、図１１に示すように、ここではマイクロスイッチ４３の内部構造を中心として説明する。
【００２１】
マイクロスイッチ４３の矩形状のケース６０の右側壁の角部には、一端近傍に固定接点６１を有するＬ字形の切替接片６２が固定されており、この切替接片６２の他端はプリント回路基板４５に立設されたプリント回路基板６３に固定され端部にノーマルクローズ端子ＮＣを形成している。
【００２２】
また、共通接片６４は、この固定接点６１に対向し、その一端近傍には共通接点６５を有し、他端近傍にはプリント回路基板４５に立設されたプリント回路基板６６に固定されて共通端子Ｃに接続される支持接片６７が固定されている。そして、共通接片６４は、この支持接片６７を支点として片持状に保持され、操作子５８によりその中央部近傍が押圧される。
【００２３】
さらに、切替接片６８Ａは、共通接点６５に対向して端部近傍に固定接点６８を有し、Ｌ字状に屈曲されてプリント回路基板６６に固定されたノーマルオープン端子ＮＯを形成している。
【００２４】
共通端子Ｃはパターン端子４９に、ノーマルオープン端子ＮＯはパターン端子５３に、それぞれプリント回路基板４５の表側の回路パターンにより接続されている。
【００２５】
次に、マイクロスイッチ４３、４３´と、マイクロスイッチ４４、４４´との回路接続の関係を図１２を用いて、後述するビデオジャックが未挿入の状態について説明する。
【００２６】
表側のマイクロスイッチ４３の共通端子Ｃはパターン端子４９に、ノーマルオープン端子ＮＯはパターン端子５３に、ノーマルクローズ端子ＮＣは裏側のマイクロスイッチ４３´のノーマルクローズ端子ＮＣにぞれぞれ接続されている。
【００２７】
そして、裏側のマイクロスイッチ４３´の共通端子Ｃは下側のマイクロスイッチ４４´の裏側で共通端子Ｃに、マイクロスイッチ４３´のノーマルオープン端子ＮＯはプリント回路基板４５の裏側で整合インピーダンス７５Ωを介してアースに、それぞれ接続されている。
【００２８】
同様に表側のマイクロスイッチ４４の共通端子Ｃはパターン端子５０に、ノーマルオープン端子ＮＯはパターン端子５４に、ノーマルクローズ端子ＮＣは裏側のマイクロスイッチ４４´のノーマルクローズ端子ＮＣにぞれぞれ接続されている。
【００２９】
そして、裏側のマイクロスイッチ４４´の共通端子Ｃは上側のマイクロスイッチ４３´の裏側で共通端子Ｃに、マイクロスイッチ４４´のノーマルオープン端子ＮＯはプリント回路基板４５の裏側で整合インピーダンス７５Ωを介してアースに、それぞれ接続されている。
【００３０】
このようなビデオジャックが未挿入の状態については、パターン端子４９つまり接触子５１と、パターン端子５０つまり接触子５２は、マイクロスイッチ４３、４３´、４４，４４´により短絡された状態となっている。
【００３１】
次に、ビデオジャック６９を挿入した状態につい説明するが、先ずビデオジャック６９は、図１３に示すように、円盤状のフランジ部７０の周囲に円筒形のグランドとなるガイド部材７１が配設され、その中央に接続棒７２が配設された構造を有している。
【００３２】
このビデオジャックを６９を入力孔１３に挿入すると、接続棒７２は接触子３６の中に挿入されてこれ等が電気的に接続されると共に、ガイド部材７１が入力孔１３に挿入されることにより矢印で示すように中心部２８を中心として反時計方向に回動部材２６が回動して操作子５８を押圧する。
【００３３】
この結果、マイクロスイッチ４３、４３´の可動接片６４が、図１４に示すように、ノーマルクローズ端子ＮＣ側からノーマルオープン端子ＮＯ側に切り替えられて、パターン端子４９つまり接触子５１と、パターン端子５３つまり接触子３６が接続される。
【００３４】
一方、ビデオジャックが挿入されないマイクロスイッチ４４、４４´側は、パターン端子５０つまり接触子５２が整合インピーダンス７５Ωによりアースに接続され、インピーダンス整合を図っている。
【００３５】
【発明が解決しようとする課題】
しかしながら、以上のような従来の映像信号切替器は、プリント回路基板に市販品のマイクロスイッチを搭載する構造であるので、内蔵されるマイクロスイッチへの配線などのため配線パターンを引き回すこととなり、伝送路インピーダンスに不整合が発生し易く、高周波特性が劣化するという問題がある。
【００３６】
また、従来の映像信号切替器は、映像信号が入力され入力孔に内蔵される接触子と、スイッチングして切り替えられて出力する出力孔に内蔵される接触子との間でのアイソレーションを確保するために２連式のマイクロスイッチを２個ペアで用いる必要があった。
【００３７】
これは、板バネを用いる可動接片６４を有するマイクロスイッチ４３では、可動接片６４が図１１に示す矢印の方向に移動してこの板バネのヘタリなどにより開閉寿命が短くなるので、固定接点６１、共通接点６５、固定接点６８の間の接点ギャップを大きくすることができず、充分なアイソレーションが確保できないためである。
【００３８】
さらに  従来の映像信号切替器は、内部でのスイッチングにより回路が開放される場合には、回路の開放側に７５Ωの整合インピーダンスをアースとの間に接続して回路の開放部で高周波信号が漏洩するのを防止する必要があった。
【００３９】
このため、映像信号切替器は、サイズが大きくて寸法変更が困難な市販のマイクロスイッチを２個も必要とし、またインピーダンス整合のための抵抗を必要とするなど、部品点数の増加要因を作り、このためコストが上昇し、しかもマイクロスイッチが市販品のため伝送路のインピーダンス整合を取り難いなどの不具合があった。
【００４０】
【課題を解決するための手段】
本発明は、以上の課題を解決するための高周波スイッチの構成として、映像信号を切り替えて伝送する高周波スイッチであって、共通接片と一対の切替接片に接続される回路パターンが所定のパターン間隔とパターン幅を保持して実質的にインピーダンス整合がとられたプリント回路基板と、該共通接片に対して一対の該切替接片を押圧しながら操作子の移動に連動していずれかに切り替える可動接片とを有するようにしたものである。
【００４１】
また、本発明は、以上の課題を解決するための映像信号切替器の構成として、前記の高周波スイッチと、一対のビデオジャックを挿入する入力孔と、内部切替に対応して外部に接続する出力孔と、前記入力孔に前記ビデオジャックを挿入することにより前記高周波スイッチの操作子を押圧する回動部材とを有するようにしたものである。
【００４２】
本発明の高周波スイッチ或いは映像信号切替器は、高周波スイッチの接点をプリント回路基板上に設けてこのプリント回路基板と一体化する構造としているので、伝送路の特性インピーダンスの整合を容易に実現することができ、この結果２ＧＨｚ以上の高周波特性を良好に保持することができ、デジタル画像信号の切り換えに使用することができる。
【００４３】
また、本発明によれば、高周波スイッチをプリント回路基板とを一体化してインピーダンス整合を図っているので、スイッチの開路部での信号の漏れを極小化することができ、この結果インピーダンスを整合するための整合インピーダンスを付加する必要をなくすことができる。
【００４４】
さらに、本発明によれば、高周波スイッチの入出力間の接点パターンは、プリント開路基板上に形成するので、接点ギャップを容易に大きくすることができ、このためアイソレーションを大きく改善することができ、スイッチも最小限の数で実現することができ、部品点数が少なく低コストの映像信号切替器とすることができる。
【００４５】
また、この他に、本発明における高周波スイッチにおいては、パターン幅はプリント回路基板の厚み及び材質に対応して変更してインピーダンスマッチングができるようにしたこと；操作子は非押圧のときにバネ材で押圧されて可動接片が共通接片と所定の切替接片に接続されるようにしたこと；パターン間隔は実質的なアイソレーションが確保できる程度に離間したギャップとしたこと；可動接片はバネ材で形成されたことを付加的要件として含むものである。
【００４６】
さらに、本発明における映像信号切替器においては、回動部材は板バネで形成され、ビデオジャックの挿入により回転部材の中央部近傍に設けられた支点を中心として操作子を回動押圧するようにしたことを付加的要件として含むものである。
【００４７】
【発明の実施の形態】
以下、本発明に係る高周波スイッチ及びこれを内蔵する映像信号切替器の実施の形態について図を用いて説明する。図１は本発明の実施の１形態を略示的に示した外観構成図である。
【００４８】
映像信号切替器８０のケース８１は、矩形状をなしており、前面８２には矢印Ｆ方向から映像信号を導入するためのビデオジャックが挿入される円筒状の一対の入力孔８３、８４がケース８１と一体に形成されている。
【００４９】
また、映像信号切替器８０のケース８１の後面８５には、ビデオジャックをまとめて複数の信号の切替と接続を行う図示しない映像信号接続盤に挿入するための円筒状の一対の出力孔８６、８７がケース８１と一体に形成されている。
【００５０】
映像信号切替器８０のケース８１の内部は、その上壁８８(下壁８９)の中央部分に所定幅を持つ台部９０(９１)が、図２に示すように、ケース８１と一体に形成され、これ等の台部９０(９１)に内側から対向して所定の間隔を保持して上壁８８(下壁８９)に沿って延長された板状の係止部９２(９３)がケース８１の側壁９４に立設されている。
【００５１】
これ等の台部９０と係止部９２との間、台部９１と係止部９３との間には、それぞれバネ材で作られた板状の回動部材９６と９７がその中心部９８、９９で回動可能なように支持されている。
【００５２】
回動部材９６(９７)は、その中心部９８(９９)から入力孔８３(８４)側に下降(上昇)しながら延長され、一方の端部の近傍の鈎部１００(１０１)で上壁８８(下壁８９)側に湾曲して折り返されて上壁８８(下壁８９)に湾曲して接するように形成されている。
【００５３】
また、回動部材９６(９７)は、その中心部９８(９９)から入力孔８３(８４)側とは反対側に上昇(下降)しながら所定距離だけ延長され、他方の端部に向かって所定距離だけ緩やかに下降(上昇)して当接部１０２(１０３)を経てこの端部に至る。
【００５４】
係止部９２(９３)の内側には、中心部９８(９９)より入力孔８３(８４)側に向かって矩形状の保持ブロック１０４(１０５)がケース８１の側壁９４に立設され、この保持ブロック１０４(１０５)の中央には円筒状の接触子１０６(１０７)が入力孔８３(８４)の内部に部分的に突出する形で立設されている。
【００５５】
保持ブロック１０４と保持ブロック１０５との間の中央部には、中心部９８と中心部９９とを結ぶ線に対して左右方向に一方が円弧状に湾曲された湾曲部１０８が形成された矩形状の保持ブロック１０９が側壁９４に立設されている。
【００５６】
この湾曲部１０８には、Ｕ字状の板バネ１１０の湾曲部が当接するように固定され、この板バネ１１０の両翼は入力孔８３と入力部８４との中間に向かって延長されており、両翼の先端部には台形状の接触部１１１、１１２が互いに外向きに形成されている。
【００５７】
中心部９８と中心部９９とを結ぶ線に対して出力孔８６、８７側には、一対の高周波スイッチ１１３、１１４が上下に分離して形成され、プリント回路基板１１５がネジ１１６、１１７、１１８により側壁９４に所定の距離を隔てて固定されている。
【００５８】
出力孔８６、８７の中央であって外端から内側への所定の長さ部分からプリント回路基板１１５のパターン端子１１９、１２０との間には、棒状のプラグ用の接触子１２１、１２２が配設されて接続されている。
【００５９】
また、プリント回路基板１１５の右端側にはプリント回路基板１１５のパターン端子１２３、１２４が形成されており、パターン端子１２３、１２４は接触子１０６、１０７の一端と接続されている。
【００６０】
さらに、プリント回路基板１１５の右端の中央部には、保持ブロック１０９が挿入できるように、コ字形の切欠部１２５が形成され、プリント回路基板１１５の右端上下の角部にも板状の係止部９２、９３の端部が収納できるように切欠部１２６、１２７が形成されている。
【００６１】
プリント回路基板１１５は、図３に示すように、全体的にはπ型形状しており、その中央部には、点線で示すように高周波スイッチ１１３、１１４が上下に分離して形成され、その上下には操作子１２８、１２９が仮想的に突出した形で示されている。
【００６２】
これらの高周波スイッチ１１３(１１４)の底部に配設されているプリント回路基板１１５には、回路パターンがプリントされているが、ここには端部にプリントされ長いスライド部を持つ共通接片１３０(１３１)、中央部にプリントされた切替接片１３２(１３３)、端部にプリントされた切替接片１３４(１３５)が配設されている。
【００６３】
そして、共通接片１３０(１３１)は左端側に配設されたパターン端子１１９(１２０)に回路パターン１３６(１３７)で接続され、共通接片１３２と１３３は互いに回路パターン１３８で接続され、切替接片１３４(１３５)はパターン端子１２３(１２４)に回路パターン１３９(１４０)で接続されている。
【００６４】
ここで、高周波スイッチ１１３と高周波スイッチ１１４の構成は基本的には同一構成であるので、図４、図５に示すように、ここでは高周波スイッチ１１３をベースとして説明する。
【００６５】
高周波スイッチ１１３のケース１４１は、プリント回路基板１１５に対してＣ字状の開放部をプリント回路基板１１５の底部に固定された構造を有しており、この内部の周囲にコ字形状のブロック１４２が配設され、高周波スイッチ１１３が収納されている。
【００６６】
高周波スイッチ１１３は、プリント回路基板１１５に形成された共通接片１３０、切替接片１３２、切替接片１３４、ブロック１４２、操作部１４３などで構成されている。
【００６７】
そして、操作部１４３は、図４、図５に示すように、内部にスプリング１４４が収納された操作ブロック１４５の一端に円筒状の操作子１２８が固定されて外部に突出され、操作ブロック１４５の下端には取付ブロック１４６を介してバネ材で形成され取付ブロック１４６から突出したリブ１４７で中央が固定されて共通接片１３０、切替接片１３２、１３４を押圧する円弧状の可動接片１４８で構成されている。
【００６８】
高周波スイッチ１１３は、図６に示すように、回路図で見ると共通接片１３０が共通端子Ｃに、切替接片１３２がノーマルクローズ端子ＮＣに、切替接片１３４がノーマルオープン端子ＮＯとしてそれぞれ機能し、可動接片１４８により切り替えられる。
【００６９】
また、高周波スイッチ１１４は、図６に示すように、回路図で見ると共通接片１３１が共通端子Ｃとして、切替接片１３３がノーマルクローズ端子ＮＣとして、切替接片１３５がノーマルオープン端子ＮＯとしてそれぞれ機能し、可動接片１４９により切り替えられる。
【００７０】
以上のようにして、高周波スイッチ１１３(１１４)は、共通接片１３０(１３１)と一対の切替接片１３２(１３３)、１３４(１３５)に接続される回路パターンが所定のパターン間隔とパターン幅を保持して実質的にインピーダンス整合がとられたプリント回路基板１１５と、共通接片１３０(１３１)に対して一対の切替接片１３２(１３３)、１３４(１３５)を押圧する操作子１２８(１２９)と、この操作子１２８(１２９)の移動に連動して操作部１４３などに内蔵されたスプリングを利用して切り替えられる可動接片１４８(１４９)などを有しており、これ等の高周波スイッチ１１３と１１４とで、本発明における高周波スイッチ１５４を構成している。
【００７１】
そして、映像信号切替器８０は、この高周波スイッチ１５４、可動部材９６、９７、及び板バネ１１０などが、入力孔８３、８４と出力孔８６、８７が前面と後面に形成されたケース８１の内部に格納されて構成されている。
【００７２】
以上は、ビデオジャックが入力孔８３に未挿入の状態についての構成であるが、このような状態については、パターン端子１１９つまり接触子１２１と、パターン端子１２０つまり接触子１２２は、高周波スイッチ１１３と高周波スイッチ１１４により短絡された状態となっている。
【００７３】
次に、ビデオジャック１５０を入力孔８３に挿入した状態について説明するが、先ずビデオジャック１５０は、図７に示すように、円盤状のフランジ部１５１の周囲に円筒形のガイド部材１５２が配設され、その中央にグランドとなるガイド部材１５２とは離間して接続棒１５３が配設された構造を有している。
【００７４】
以上のように構成された高周波スイッチ１１３、１１４及びこれを内蔵する映像信号切替器８０の動作について、図７と図８を用いて説明する。先ずビデオジャック１５０が未挿入の状態では、既述のように、接触子１２１と接触子１２２は、図６に示すように、短絡状態になっている。
【００７５】
しかし、ビデオジャック１５０を入力孔８３に挿入すると、接続棒１５３は接触子１０６の中に挿入されてこれ等が電気的に接続されると共に、ガイド部材１５２が入力孔８３に挿入されることにより矢印で示すように中心部９８を中心として反時計方向に回動部材９６が回動して操作子１２８を押圧する。
【００７６】
この結果、高周波スイッチ１１３の可動接片１４８は、図５に示すように、共通接片１３０(共通端子Ｃ)には接した状態で、切替接片１３２(ノーマルクローズ端子ＮＣ)から切替接片１３４(ノーマルオープン端子ＮＯ)にスライドして、図８に示すように、パターン端子１１９つまり接触子１２１とパターン端子１２３つまり接触子１０６が接続される。
【００７７】
この場合は、図８に示すように、パターン端子１２０つまり接触子１２２側が開放状態となるが、高周波スイッチ１１３の切替接片１３２と切替接片１３４、及び共通接片１３０との間で充分な接点ギャップが設けられ、充分なアイソレーションが確保できるため、従来のように格別に整合インピーダンス７５Ωを設ける必要はない。
【００７８】
また、共通接片１３０、切替接片１３２、及び切替接片１３４は、図５に示すように、プリント回路基板１１５の上に形成され、これ等は回路パターン１３６、１３８、１３９で接続される構成であるので、これ等の接片間隔とパターン幅を任意に設定することができ、アイソレーション、インサーションロス、或いはリターンロスを低減させることができる。
【００７９】
【発明の効果】
以上、説明したように、本発明に係る高周波スイッチ或いは映像信号切替器は、高周波スイッチの接点をプリント回路基板上に設けてこのプリント回路基板と一体化する構造としているので、伝送路の特性インピーダンスの整合を容易に実現することができ、この結果２ＧＨｚ以上の高周波特性を良好に保持することができ、デジタル画像信号などの切り換えに使用することができる。
【００８０】
また、本発明によれば、高周波スイッチとプリント回路基板とを一体化してインピーダンス整合を図っているので、スイッチの開路部での信号の漏れを極小化することができ、この結果インピーダンスを整合するための整合インピーダンスをなくすことができる。
【００８１】
さらに、本発明によれば、高周波スイッチの入出力間の接点パターンは、プリント開路基板上に形成するので、接点ギャップを容易に大きくすることができ、このためアイソレーションを大きく改善することができ、スイッチも最小限の数で実現することができ、部品点数が少なく低コストの映像信号切替器とすることができる。
【図面の簡単な説明】
【図１】本発明に係る映像信号切替器に係る実施の形態を示す外観図である。
【図２】図１に示す映像信号切替器のＢ−Ｂ´から見た内部構成を示す縦断面図である。
【図３】図２に示す映像信号切替器のプリント回路基板の構成を示すプリント配線図である。
【図４】図２に示す映像信号切替器内の高周波スイッチの構成を示す構成図であり、(Ａ)図は(Ｂ)図のＣ−Ｃ´から見た横断面図、(Ｂ)図は(Ａ)図のＤ−Ｄ´から見た縦断面図である。
【図５】図２に示す映像信号切替器内の高周波スイッチ及びその近傍を含めた構成を示す斜視図である。
【図６】図２に示す映像信号切替器内の高周波スイッチにおいてビデオジャックの未挿入状態での電気接続の様子を示す回路図である。
【図７】図２に示す映像信号切替器にビデオジャックを挿入した状態を説明する説明図である。
【図８】図２に示す映像信号切替器にビデオジャックを挿入した状態での電気接続の様子を示す回路図である。
【図９】従来の映像信号切替器内の外観を示す外観図である。
【図１０】図９に示す映像信号切替器のＡ−Ａ´から見た内部構成を示す縦断面図である。
【図１１】図１０に示す高周波スイッチ及びその近傍を見た斜視図である。
【図１２】図１０に示す映像信号切替器にビデオジャックの未挿入状態での電気接続の様子を示す回路図である。
【図１３】図１０に示す映像信号切替器にビデオジャックを挿入した状態を説明する説明図である。
【図１４】図１０に示す映像信号切替器にビデオジャックを挿入した状態での電気接続の様子を示す回路図である。
【符号の説明】
１０、８０；映像信号切替器、  １１、６０、８１、１４１；ケース、
１２、８２；前面、  １３、１４、８３、８４；入力孔、  １５、８５；後面、
１６、１７、８６、８７；出力孔、  １８、８８；上壁、  １９、８９；下壁、
２０、２１、９０、９１；台部、  ２２、２３、９２、９３；係止部、
２４、９４；側壁、  ２６、２７、９６、９７；回動部材、
２８、２９、９８、９９；中心部、  ３０、３１、１００、１０１；鈎部、
３２、３３、１０２、１０３；当接部、
３４、３５、３９、１０４、１０５、１０９；保持ブロック、
３６、３７、４１、４２、１０６、１０７、１１１、１１２；接触部、
３８、１０８；湾曲部、  ４０、１１０；板バネ、
４３、４３´、４４、４４´；マイクロスイッチ、
４５、６３、６６、１１５；プリント回路基板、
４９、５０、５３、５４、１１９、１２０、１２３、１２４；パターン端子、
５１、５２、１２１、１２２；接触子、
５５、５６、５７、１２５、１２６、１２７；切欠部、
５８、５９、１２８、１２９；操作子、  ６１、６８；固定接点、
６４、１３０、１３１；共通接片、  ６５；共通接点、
６７；支持接片、  ６９、１５０；ビデオジャック、
７０、１５１；フランジ部、  ７１、１５２；ガイド部材、
７２、１５３；接続棒、  １１３、１１４、１５４；高周波スイッチ、
６２、６８Ａ、１３２、１３３、１３４、１３５；切替接片、
１３６、１３７、１３８、１３９、１４０；回路パターン、  １４２；ブロック、１４３；操作部、  １４４；スプリング、  １４５；操作ブロック、
１４６；取付ブロック、  １４８、１４９；可動接片
【図１】
0004488636.tif 000002
【図２】
0004488636.tif 000003
【図３】
0004488636.tif 000004
【図４】
0004488636.tif 000005
【図５】
0004488636.tif 000006
【図６】
0004488636.tif 000007
【図７】
0004488636.tif 000008
【図８】
0004488636.tif 000009
【図９】
0004488636.tif 000010
【図１０】
0004488636.tif 000011
【図１１】
0004488636.tif 000012
【図１２】
0004488636.tif 000013
【図１３】
0004488636.tif 000014
【図１４】
0004488636.tif 000015